(57)【要約】【課題】ユーザーの意図しない端末装置との通信接続を防止できるようにすることを目的とする。【解決手段】プリンター１は、１又は複数の端末装置と通信接続するための第１接続設定情報１１２を記憶する印刷装置側記憶部１１と、通信接続した端末装置から受信したアクセスポイントと通信接続するための第２接続設定情報に基づいて、アクセスポイントと通信接続する印刷装置側制御部１０と、を備え、印刷装置側制御部１０は、所定の場合に、通信接続した端末装置を誤接続した端末装置であると判別して、端末装置との通信接続を切断し、印刷装置側記憶部１１が記憶する第１接続設定情報１１２を変更する。【選択図】図２
2018122540.tif 000002
【特許請求の範囲】
【請求項１】
１又は複数の端末装置と通信接続するための第１接続設定情報を記憶する記憶部と、
通信接続した前記端末装置から受信した外部装置と通信接続するための第２接続設定情報に基づいて、前記外部装置と通信接続する制御部と、を備え、
前記制御部は、
所定の場合に、通信接続した前記端末装置を誤接続した前記端末装置であると判別して、前記端末装置との通信接続を切断し、前記記憶部が記憶する前記第１接続設定情報を変更する
印刷装置。
【請求項２】
前記制御部は、
通信接続した前記端末装置から、一定の期間に前記第２接続設定情報を受信しない場合、通信接続した前記端末装置を誤接続した前記端末装置であると判別して、前記端末装置との通信接続を切断し、前記記憶部が記憶する前記第１接続設定情報を変更する
請求項１に記載の印刷装置。
【請求項３】
前記第１接続設定情報は、固定部と可変部とから構成されるネットワークの識別情報を含み、
前記制御部は、前記可変部を所定のルールに基づいて変更する
請求項１又は２に記載の印刷装置。
【請求項４】
前記第１接続設定情報は、前記ネットワークに接続するための認証情報を含み、
前記制御部は、前記認証情報については変更しない
請求項３に記載の印刷装置。
【請求項５】
前記制御部は、
前記端末装置から受信した電波強度が所定の強度を満たす場合、前記端末装置と通信接続し、前記端末装置から受信した電波強度が所定の強度を満たさない場合、前記端末装置と通信接続しない、
請求項１から４のいずれか一項に記載の印刷装置。
【請求項６】
１又は複数の端末装置と通信接続するための第１接続設定情報を記憶し、通信接続した前記端末装置から受信した外部装置と通信接続するための第２接続設定情報に基づいて、前記外部装置と通信接続する印刷装置の制御方法であって、
所定の場合に、通信接続した前記端末装置を誤接続した前記端末装置であると判別して、前記端末装置との通信接続を切断し、記憶する前記第１接続設定情報を変更する
印刷装置の制御方法。
【請求項７】
外部装置と、印刷装置と、複数の端末装置とを備える通信システムであって、
前記印刷装置は、
１又は複数の前記端末装置と通信接続するための第１接続設定情報を記憶する印刷装置側記憶部と、
通信接続した前記端末装置から受信した前記外部装置と通信接続するための第２接続設定情報に基づいて、前記外部装置と通信接続する印刷装置側制御部と、を備え、
前記印刷装置側制御部は、
所定の場合に、通信接続した前記端末装置を誤接続した前記端末装置であると判別して、前記端末装置との通信接続を切断し、前記印刷装置側記憶部が記憶する前記第１接続設定情報を変更し、
前記端末装置は、
前記第１接続設定情報と前記第２接続設定情報とを記憶する端末装置側記憶部と、
一定の期間に前記印刷装置と通信接続しない場合、前記端末装置側記憶部が記憶する前記第１接続設定情報を変更し、変更した前記第１接続設定情報に基づいて前記印刷装置と通信接続する端末装置側制御部と、を備える
通信システム。
【請求項８】
前記端末装置側制御部は、
前記印刷装置側制御部が前記第１接続設定情報を変更する周期より早い周期で前記端末装置側記憶部が記憶する前記第１接続設定情報を変更する
請求項７に記載の通信システム。
【請求項９】
前記端末装置は、
前記第１接続設定情報を変更する周期を設定する設定部を備える
請求項８に記載の通信システム。
【請求項１０】
前記第１接続設定情報は、固定部と可変部とから構成されるネットワークの識別情報を含み、
前記印刷装置側制御部は、前記可変部を所定のルールに基づいて変更し、
前記端末装置側制御部は、前記印刷装置側制御部と同じ前記所定のルールに基づいて前記可変部を変更する
請求項７から９のいずれか一項に記載の通信システム。
【発明の詳細な説明】
【技術分野】
【０００１】
本発明は、印刷装置、印刷装置の制御方法、及び、通信システムに関する。
【背景技術】
【０００２】
従来、端末装置と印刷装置とが通信接続する技術が知られている（例えば、特許文献１参照）。特許文献１では、一時的なＰＩＮコードを印刷装置が端末装置に発行し、端末装置が発行された一時的なＰＩＮコードに基づいて一時的に印刷装置と通信接続する技術を開示する。
【先行技術文献】
【特許文献】
【０００３】
【特許文献１】特開２００７−２２８４１９号公報
【発明の概要】
【発明が解決しようとする課題】
【０００４】
一般に、特許文献１に記載のような印刷装置は、一度に通信接続が可能な端末装置の数には限りがある。したがって、ユーザーの意図しない端末装置が印刷装置と通信接続していると、通信接続すべき端末装置が印刷装置と通信接続できない場合がある。
そこで、本発明は、ユーザーの意図しない端末装置との通信接続を防止できるようにすることを目的とする。
【課題を解決するための手段】
【０００５】
上記課題を解決するために、本発明は、１又は複数の端末装置と通信接続するための第１接続設定情報を記憶する記憶部と、通信接続した前記端末装置から受信した外部装置と通信接続するための第２接続設定情報に基づいて、前記外部装置と通信接続する制御部と、を備え、前記制御部は、所定の場合に、通信接続した前記端末装置を誤接続した前記端末装置であると判別して、前記端末装置との通信接続を切断し、前記記憶部が記憶する前記第１接続設定情報を変更する。
本発明によれば、誤接続と判別した端末装置との通信接続を切断し、第１接続設定情報を変更するため、ユーザーの意図しない端末装置との通信接続を防止できる。
【０００６】
また、本発明は、前記制御部は、通信接続した前記端末装置から、一定の期間に前記第２接続設定情報を受信しない場合、通信接続した前記端末装置を誤接続した前記端末装置であると判別して、前記端末装置との通信接続を切断し、前記記憶部が記憶する前記第１接続設定情報を変更する。
本発明によれば、通信接続した端末装置から一定の期間に第２接続設定情報を受信しない場合、当該端末装置との通信接続を切断し、第１接続設定情報を変更するため、ユーザーの意図しない端末装置との通信接続を防止できる。
【０００７】
また、本発明は、前記第１接続設定情報は、固定部と可変部とから構成されるネットワークの識別情報を含み、前記制御部は、前記可変部を所定のルールに基づいて変更する。
本発明によれば、識別情報を構成する固定部と可変部とのうち、可変部を所定のルールに基づいて変更するため、容易に第１接続設定情報を変更でき、ユーザーの意図しない端末装置との通信接続を防止できる。
【０００８】
また、本発明は、前記第１接続設定情報は、前記ネットワークに接続するための認証情報を含み、前記制御部は、前記認証情報については変更しない。
本発明によれば、第１接続設定情報が含む認証情報については変更しないため、ユーザーの意図しない端末装置との通信接続を防止した上、速やかに、通信接続すべき端末装置が印刷装置と通信接続できる。
【０００９】
また、本発明は、前記制御部は、前記端末装置から受信した電波強度が所定の強度を満たす場合、前記端末装置と通信接続し、前記端末装置から受信した電波強度が所定の強度を満たさない場合、前記端末装置と通信接続しない。
本発明によれば、端末装置から受信した電波強度が所定の強度を満たす場合、端末装置と通信接続し、当該電波強度が所定の強度を満たさない場合、端末装置と通信接続しないため、ユーザーの意図しない端末装置との通信接続をより防止できる。
【００１０】
また、上記課題を解決するため、本発明は、１又は複数の端末装置と通信接続するための第１接続設定情報を記憶し、通信接続した前記端末装置から受信した外部装置と通信接続するための第２接続設定情報に基づいて、前記外部装置と通信接続する印刷装置の制御方法であって、所定の場合に、通信接続した前記端末装置を誤接続した前記端末装置であると判別して、前記端末装置との通信接続を切断し、記憶する前記第１接続設定情報を変更する。
本発明によれば、誤接続と判別した端末装置との通信接続を切断し、第１接続設定情報を変更するため、ユーザーの意図しない端末装置との通信接続を防止できる。
【００１１】
また、上記課題を解決するため、本発明は、外部装置と、印刷装置と、複数の端末装置とを備える通信システムであって、前記印刷装置は、１又は複数の前記端末装置と通信接続するための第１接続設定情報を記憶する印刷装置側記憶部と、通信接続した前記端末装置から受信した前記外部装置と通信接続するための第２接続設定情報に基づいて、前記外部装置と通信接続する印刷装置側制御部と、を備え、前記印刷装置側制御部は、所定の場合に、通信接続した前記端末装置を誤接続した前記端末装置であると判別して、前記端末装置との通信接続を切断し、前記印刷装置側記憶部が記憶する前記第１接続設定情報を変更し、前記端末装置は、前記第１接続設定情報と前記第２接続設定情報とを記憶する端末装置側記憶部と、一定の期間に前記印刷装置と通信接続しない場合、前記端末装置側記憶部が記憶する前記第１接続設定情報を変更し、変更した前記第１接続設定情報に基づいて前記印刷装置と通信接続する端末装置側制御部と、を備える。
本発明によれば、印刷装置が、誤接続と判別した端末装置との通信接続を切断して、第１接続設定情報を変更し、端末装置が、一定の期間に印刷装置と通信接続しない場合に、第１接続設定情報を変更し、変更した第１接続設定情報に基づいて印刷装置と通信接続するため、ユーザーの意図しない端末装置が印刷装置と通信接続することを防止した上、通信接続すべき端末装置が確実に印刷装置と通信接続できる。また、通信接続する際に、ユーザーによる通信接続の設定操作が不要であるため、通信接続する際の設定操作を簡易にできる。
【００１２】
また、本発明は、前記端末装置側制御部は、前記印刷装置側制御部が前記第１接続設定情報を変更する周期より早い周期で前記端末装置側記憶部が記憶する前記第１接続設定情報を変更する。
本発明によれば、端末装置側制御部が、印刷装置側制御部が第１接続設定情報を変更する周期より早い周期で端末装置側記憶部が記憶する第１接続設定情報を変更するため、速やかに、通信接続すべき端末装置が印刷装置と通信接続できる。
【００１３】
また、本発明は、前記端末装置は、前記第１接続設定情報を変更する周期を設定する設定部を備える。
本発明によれば、端末装置が第１接続設定情報を変更する周期を設定する設定部を備えるため、印刷装置が第１接続設定情報を変更する周期を変更でき、通信接続すべき端末装置が印刷装置と通信接続する際のユーザーの利便性が向上する。
【００１４】
また、本発明は、前記第１接続設定情報は、固定部と可変部とから構成されるネットワークの識別情報を含み、前記印刷装置側制御部は、前記可変部を所定のルールに基づいて変更し、前記端末装置側制御部は、前記印刷装置側制御部と同じ前記所定のルールに基づいて前記可変部を変更する。
本発明によれば、印刷装置側制御部が、識別情報の可変部を所定のルールに基づいて変更し、端末装置側制御部が、印刷装置側制御部と同じ所定のルールに基づいて識別情報の可変部を変更するため、速やかに、通信接続すべき端末装置が印刷装置と通信接続できる。
【図面の簡単な説明】
【００１５】
【図１】通信システムの構成を示す図。
【図２】プリンターの機能的構成を示すブロック図。
【図３】端末装置の機能的構成を示すブロック図。
【図４】プリンターの動作を示すフローチャート。
【図５】端末装置の動作を示すフローチャート。
【図６】第１ＳＳＩＤの一例を示す図。
【図７】第１ＳＳＩＤの変更の周期の一例を示す図。
【発明を実施するための形態】
【００１６】
図１は、通信システム１００の構成を示す図である。
【００１７】
図１に示すように、通信システム１００は、プリンター１（印刷装置）と、端末装置２０１と、端末装置２０２と、アクセスポイントＡＰ（外部装置）とを備える。
【００１８】
プリンター１は、受信する印刷データ、又は、自身が記憶する印刷データに基づいて、印刷媒体に文字や画像等を印刷する装置である。
【００１９】
端末装置２０１、及び、端末装置２０２は、ユーザーが持ち運び可能な端末であり、例えばスマートフォンやタブレット型端末等である。以下の説明において、端末装置２０１と端末装置２０２とを区別することなく、いずれか１の端末装置として説明する場合、端末装置２００と表記する。
【００２０】
アクセスポイントＡＰは、アクセスポイントＡＰにより構築される無線ネットワークＮ２内の装置の無線通信を中継する装置である。
【００２１】
端末装置２００とプリンター１とは、互いが無線ネットワークＮ２に接続することで、アクセスポイントＡＰを介して通信可能となる。なお、無線ネットワークＮ２に接続することは、アクセスポイントＡＰと通信接続することに相当する。このように、端末装置２００とプリンター１とがアクセスポイントＡＰを介して通信可能な状態の通信システム１００は、例えば、ＰＯＳ（Point Of Sale）システムとして機能する。ＰＯＳシステムとは、ショッピングセンターや、コンビニエンスストア、車内販売等の小売業や、レストランや、喫茶店、居酒屋等の飲食業等の業務で利用されるシステムであり、顧客が購入した商品に応じて会計を行う機能や、会計に応じてレシートを発行する機能等を有する。
【００２２】
ここで、プリンター１と端末装置２００との無線ネットワークＮ２への接続について説明する。
【００２３】
無線ネットワークＮ２を構築するアクセスポイントＡＰは、無線ネットワークＮ２を識別するための識別情報であるネットワーク識別情報を有する。また、アクセスポイントＡＰは、無線ネットワークＮ２へ接続するための認証情報を有する。本実施形態では、無線ネットワークＮ２を、ＩＥＥＥ８０２．１１ｘで規定される無線ＬＡＮ（Local Area Network）とする。この場合において、ネットワーク識別情報は、ＳＳＩＤ（Service Set Identifier）（識別情報）である。また、認証情報は、パスフレーズ及び暗号化方式を含む。パスフレーズは、無線ＬＡＮによる通信を暗号化するために使用される暗号鍵である。暗号化方式は、例えばＷＥＰ（Wired Equivalent Privacy）、ＷＰＡ（Wi-Fi(登録商標) Protected Access）、或いは、これらを拡張／改良した暗号化方式が挙げられる。
【００２４】
プリンター１と端末装置２００とは、無線ネットワークＮ２に接続する場合、無線ネットワークＮ２に接続する他の装置と識別するための情報であるネットワーク情報を有する。ネットワーク情報は、無線ネットワークＮ２に接続される装置毎に固有であり、例えば、ＩＰアドレスである。
【００２５】
プリンター１は、アクセスポイントＡＰのＳＳＩＤ、及び認証情報が、後述する印刷装置側設定ファイル１１１に設定されることにより、無線ネットワークＮ２に接続する。また、端末装置２００は、アクセスポイントＡＰのＳＳＩＤ、及び認証情報が、後述する端末装置側設定ファイル２１１に設定されることにより、無線ネットワークＮ２に接続する。
【００２６】
図２は、プリンター１の機能的構成を示すブロック図である。
【００２７】
図２に示すように、プリンター１は、印刷装置側制御部１０（制御部）と、印刷装置側記憶部１１（記憶部）と、操作部１２と、印刷部１３と、印刷装置側通信部１４とを備える。
【００２８】
印刷装置側制御部１０は、図示しないＣＰＵや、ＲＯＭ、ＲＡＭ等を備え、ＲＯＭに記憶された各種プログラム及びデータをＣＰＵが読み出して実行することにより、プリンター１の各部を制御する。
【００２９】
印刷装置側記憶部１１は、ハードディスクや、ＥＥＰＲＯＭ等の不揮発性メモリーを備え、データを書き換え可能に記憶する。また、印刷装置側記憶部１１は、印刷装置側設定ファイル１１１と、第１接続設定情報１１２とを記憶する。第１接続設定情報については、後述する。印刷装置側設定ファイル１１１には、プリンター１の設定に関する設定項目と、設定項目に対応する設定値との組み合わせが記憶される。
【００３０】
本実施形態では、プリンター１に関する設定項目は、印刷に係る設定項目と、通信に係る設定項目とに大別される。印刷に係る設定項目は、印字濃度や、印字速度等のプリンター１の印刷動作の設定に係る設定項目や、余白等のプリンター１が印刷する文字や画像等の設定に係る設定項目を含む。通信に係る設定項目は、ＳＳＩＤや、認証情報、自身のＩＰアドレス等の通信の設定に係る設定項目を含む。
【００３１】
以下の説明において、ＳＳＩＤの設定項目を、ＳＳＩＤ設定項目と表現する。また、認証情報の設定項目を、認証情報設定項目と表現する。
【００３２】
なお、本実施形態では、印刷装置側設定ファイル１１１に設定すると表現する場合、印刷装置側設定ファイル１１１の所定の設定項目に設定値をセットすることを示す。後述する端末装置側設定ファイル２１１に設定すると表現する場合も同様のことを示す。
【００３３】
操作部１２は、操作ボタンを備える。本実施形態では、操作部１２は、操作ボタンとして、図１に示す電源ボタンＢ１２ａと設定ボタンＢ１２ｂとを備える。電源ボタンＢ１２ａは、プリンター１の電源のオンオフを切り替えるための操作ボタンである。設定ボタンＢ１２ｂは、プリンター１を、無線ネットワークＮ１を構築するアクセスポイントとして機能させるための操作ボタンである。
【００３４】
印刷部１３は、印刷媒体としてのロール紙にドットを形成するサーマルヘッド、ロール紙を搬送する搬送機構、ロール紙を切断する切断機構等を備える。印刷部１３は、印刷装置側制御部１０の制御で、ロール紙を搬送しつつ、ロール紙にドットを形成して画像を記録する。印刷部１３は、印刷装置側制御部１０の制御で、ロール紙を所定の位置で切断し、文字や画像等が印刷された紙片を発行する。
【００３５】
印刷装置側通信部１４は、印刷装置側制御部１０の制御で、所定の無線通信の規格に従って、無線通信を実行する。本実施形態では、印刷装置側通信部１４は、動作モードとして、第１印刷通信モードと、第２印刷通信モードとの２つのモードを有する。
【００３６】
第１印刷通信モードにおける印刷装置側通信部１４は、プリンター１が無線ネットワークＮ１を構築するアクセスポイントとして機能させ、無線ネットワークＮ１に接続した１又は複数の端末装置２００と直接（アクセスポイントＡＰを介さず）無線通信する。なお、無線ネットワークＮ１に接続することは、プリンター１と通信接続することに相当する。
【００３７】
以下の説明において、無線ネットワークＮ１を識別するＳＳＩＤを、第１ＳＳＩＤと表記する。また、無線ネットワークＮ１に接続するための認証情報を、第１認証情報と表記する。第１ＳＳＩＤと、第１認証情報とは、第１接続設定情報１１２に含まれ、第１接続設定情報１１２は、図２に示すように印刷装置側記憶部１１に記憶される。以下の説明では、第１接続設定情報が含む第１印刷ＳＳＩＤを、第１印刷ＳＳＩＤと表記し、第１接続設定情報が含む第１認証情報を、第１印刷認証情報と表記する。なお、第１印刷ＳＳＩＤは、無線ネットワークＮ１のＳＳＩＤである。
【００３８】
第２印刷通信モードにおける印刷装置側通信部１４は、アクセスポイントＡＰと無線ＬＡＮに係る規格に従って通信する。第２印刷通信モードでは、印刷装置側設定ファイル１１１のＳＳＩＤ設定項目に、アクセスポイントＡＰが構築する無線ネットワークＮ２のＳＳＩＤを示す設定値がセットされる。また、第２印刷通信モードでは、印刷装置側設定ファイル１１１の認証情報設定項目に、アクセスポイントＡＰが構築する無線ネットワークＮ２に通信接続するための認証情報を示す設定値がセットされる。
【００３９】
以下の説明において、無線ネットワークＮ２を識別するＳＳＩＤを、第２ＳＳＩＤと表記する。また、アクセスポイントＡＰが構築する無線ネットワークＮ２の認証情報を、第２認証情報と表記する。
【００４０】
次に、端末装置２００について説明する。
図３は、端末装置２００の機能的構成を示すブロック図である。
【００４１】
図３に示すように、端末装置２００は、端末装置側制御部２０と、端末装置側記憶部２１と、タッチパネル２２と、端末装置側通信部２３と、設定部２４とを備える。
【００４２】
端末装置側制御部２０は、図示しないＣＰＵや、ＲＯＭ、ＲＡＭ等を備え、ＲＯＭに記憶された各種プログラム及びデータをＣＰＵが読み出して実行することにより、端末装置２００の各部を制御する。
【００４３】
端末装置側記憶部２１は、ハードディスクや、ＥＥＰＲＯＭ等の不揮発性メモリーを備え、データを書き換え可能に記憶する。また、端末装置側記憶部２１は、端末装置側設定ファイル２１１と、設定アプリ２１２と、第１接続設定情報２１３と、第２接続設定情報２１４とを記憶する。
【００４４】
端末装置側設定ファイル２１１には、端末装置２００に係る設定項目と、設定項目に対応する設定値との組み合わせが記憶される。端末装置２００に係る設定項目は、ＳＳＩＤ設定項目や、認証情報設定項目、自身に設定されたＩＰアドレスの設定項目等を含む。
【００４５】
設定アプリ２１２は、プリンター１の初期設定や設定変更等の操作を実行するためのアプリケーションであり、例えば、初期設定や設定変更等に係るユーザーインターフェースを提供する。本実施形態では、設定アプリ２１２が起動された端末装置２００は、後述する第２接続設定情報をプリンター１に送信する。なお、初期設定とは、プリンター１を通信システム１００に導入する際、端末装置２００により実行されるプリンター１に対する初回の設定である。
【００４６】
第１接続設定情報２１３は、第１ＳＳＩＤと、第１認証情報とを含む情報である。以下の説明では、第１接続設定情報２１３が含む第１ＳＳＩＤを、第１端末ＳＳＩＤと表記し、第１接続設定情報２１３が含む第１認証情報を、第１端末認証情報と表記する。
【００４７】
第２接続設定情報２１４は、第２ＳＳＩＤと、第２認証情報とを含む情報である。
【００４８】
タッチパネル２２は、表示パネル２２１と、タッチセンサー２２２を備える。表示パネル２２１は、液晶ディスプレイやＥＬ（Electro Luminescent）ディスプレイ等により構成され、端末装置側制御部２０の制御の下、各種情報を表示パネル２２１に表示する。タッチセンサー２２２は、表示パネル２２１に重ねて配置され、ユーザーのタッチ操作を検出し、端末装置側制御部２０に出力する。
【００４９】
端末装置側通信部２３は、端末装置側制御部２０の制御で、所定の無線通信の規格に従って、無線通信を行う。端末装置側通信部２３は、動作モードとして、第１端末通信モードと、第２端末通信モードとの２つのモードを有する。
【００５０】
第１端末通信モードにおける端末装置側通信部２３は、アクセスポイントとして機能するプリンター１と、無線ＬＡＮに係る規格に従って通信する。第１端末通信モードでは、端末装置側設定ファイル２１１のＳＳＩＤ設定項目に、第１端末ＳＳＩＤを示す設定値がセットされる。また、第１端末通信モードでは、端末装置側設定ファイル２１１の認証情報設定項目に、第１端末認証情報を示す設定値がセットされる。
【００５１】
第２端末通信モードにおける端末装置側通信部２３は、アクセスポイントＡＰと無線ＬＡＮに係る規格に従って通信する。第２端末通信モードでは、端末装置側設定ファイル２１１のＳＳＩＤ設定項目に、第２ＳＳＩＤを示す設定値がセットされる。また、第２端末通信モードでは、端末装置側設定ファイル２１１の認証情報設定項目に、第２認証情報を示す設定値がセットされる。
【００５２】
設定部２４は、後に詳述するが、第１端末ＳＳＩＤを変更する周期を設定する。
【００５３】
上述した通り、プリンター１は、アクセスポイントＡＰが構築する無線ネットワークＮ２に接続してアクセスポイントＡＰと通信接続するため、第２ＳＳＩＤと第２認証情報を印刷装置側設定ファイル１１１に設定する。しかしながら、例えば、他の無線ネットワークから無線ネットワークＮ２に初めて接続する際、プリンター１は、第２接続設定情報を有していない場合がある。この場合、プリンター１は、第２ＳＳＩＤと第２認証情報とを印刷装置側設定ファイル１１１に設定できない。つまり、プリンター１は、無線ネットワークＮ２に接続できず、アクセスポイントＡＰと通信接続できない。そこで、プリンター１は、無線ネットワークＮ１を構築するアクセスポイントとして機能して、設定アプリ２１２が起動された端末装置２００と通信接続し、当該端末装置２００から第２接続設定情報を受信する。こうすることで、プリンター１は、第２ＳＳＩＤと第２認証情報とを印刷装置側設定ファイル１１１に設定でき、アクセスポイントＡＰと通信接続できる。
【００５４】
一般に、プリンター１がアクセスポイントとして機能する場合、無線ネットワークＮ１に接続可能な端末装置２００の数には、限りがある。そのため、プリンター１が第２接続設定情報を受信するためアクセスポイントとして機能しても、ユーザーの意図しない端末装置２００が無線ネットワークＮ１に接続していることに起因して、設定アプリ２１２が起動された端末装置２００が無線ネットワークＮ１に接続できない場合がある。つまり、プリンター１の無線ネットワークＮ２への接続の設定する際、プリンター１と通信接続すべき端末装置２００（設定アプリ２１２が起動した端末装置２００）が、プリンター１と通信接続できない場合がある。
【００５５】
例えば、端末装置２０１が、設定アプリ２１２が起動された端末装置２００であり、端末装置２０２が、設定アプリ２１２が起動していない端末装置２００であるとする。また、プリンター１がアクセスポイントとして機能する場合の無線ネットワークＮ１に接続が可能な端末装置の数が１であるとする。この場合、端末装置２０２が以前に無線ネットワークＮ１に通信接続したことがあると、プリンター１がアクセスポイントとして機能した場合、端末装置２０２は、端末装置２０１より先に、無線ネットワークＮ１に接続する可能性がある。端末装置２０２が端末装置２０１より先に無線ネットワークＮ１に接続すると、無線ネットワークＮ１に通信接続が可能な端末装置の数が１であるため、端末装置２０１は、無線ネットワークＮ１に接続できない。したがって、プリンター１は、設定アプリ２１２が起動された端末装置２０１と通信接続できず、アクセスポイントＡＰが構築する無線ネットワークＮ２に接続できず、アクセスポイントＡＰと通信接続できない。
【００５６】
そこで、本実施形態の通信システム１００を構成するプリンター１、及び、端末装置２００は、以下に示す動作を実行する。
【００５７】
以下、プリンター１の動作について、アクセスポイントＡＰと通信接続するための設定を行う場合の動作を例示して説明する。
【００５８】
また、端末装置２００の動作の説明では、図１に示す端末装置２０１及び端末装置２０２のうち、端末装置２０１を、設定アプリ２１２が起動した端末装置とし、端末装置２０２を、設定アプリ２１２が起動していない端末装置とする。つまり、端末装置２０１を、プリンター１がアクセスポイントＡＰと通信接続するための設定において、プリンター１と通信接続すべき端末装置とする。
【００５９】
また、プリンター１がアクセスポイントとして機能する場合、プリンター１に通信接続可能な端末装置の数、換言すると、無線ネットワークＮ１に接続可能な端末装置の数が、１であるとする。
【００６０】
図４は、プリンター１の動作を示すフローチャートである。
【００６１】
プリンター１の印刷装置側制御部１０は、操作部１２が、ユーザーによる設定ボタン１２ｂへの操作を検出したか否かを判別する（ステップＳＡ１）。印刷装置側制御部１０は、操作部１２が、ユーザーによる設定ボタンＢ１２ｂへの操作を検出したと判別した場合（ステップＳＡ１：ＹＥＳ）、印刷装置側通信部１４の動作モードを、第１印刷通信モードに移行させる（ステップＳＡ２）。
【００６２】
印刷装置側通信部１４の動作モードの第１印刷通信モードへの移行に伴い、印刷装置側制御部１０は、プリンター１を、無線ネットワークＮ１を構築するアクセスポイントとして機能させる（ステップＳＡ３）。
【００６３】
ユーザーは、アクセスポイントＡＰへの通信接続の設定を行うプリンター１を、アクセスポイントとして機能させた後、当該設定においてプリンター１と通信接続すべき端末装置２０１を操作して、設定アプリ２１２の起動を指示する。
【００６４】
図５は、端末装置２００の動作を示すフローチャートである。特に、本実施形態では、図５に示す端末装置２００の動作は、プリンター１のアクセスポイントＡＰへの通信接続の設定において、プリンター１と通信接続すべき端末装置２０１の動作を示す。
【００６５】
端末装置２０１の端末装置側制御部２０は、ユーザーの指示に応じて設定アプリ２１２を起動する（ステップＳＢ１）。なお、ステップＳＢ２以下の処理は、ステップＳＢ１で起動した設定アプリ２１２の機能により実行される。
【００６６】
設定アプリ２１２の起動後、端末装置２０１の端末装置側制御部２０は、端末装置２０１の端末装置側通信部２３の動作モードを、第１端末通信モードに移行させる（ステップＳＢ２）。
【００６７】
次いで、端末装置２０１の端末装置側制御部２０は、プリンター１に通信接続の要求を実行する（ステップＳＢ３）。次いで、端末装置２０１の端末装置側制御部２０は、プリンター１に通信接続の要求が実行できた否かを判別する（ステップＳＢ４）。端末装置２０１の端末装置側制御部２０は、プリンター１に通信接続の要求が実行できないと判別した場合（ステップＳＢ４：ＮＯ）、ステップＳＢ７の処理を実行し、プリンター１に通信接続の要求が実行できたと判別した場合（ステップＳＢ４：ＹＥＳ）、ステップＳＢ５の処理を実行する。なお、端末装置２０１の端末装置側制御部２０は、端末装置側設定ファイル２１１のＳＳＩＤ設定項目に設定した第１端末ＳＳＩＤと、無線ネットワークＮ１を識別する第１印刷ＳＳＩＤとが一致する場合、プリンター１への通信接続の要求が実行でき、異なる場合、プリンター１への通信接続の要求が実行できない。
【００６８】
プリンター１の動作の説明に戻り、プリンター１がアクセスポイントとして機能すると、印刷装置側制御部１０は、通信接続の要求があったか否かを判別する（ステップＳＡ４）。
【００６９】
次いで、印刷装置側制御部１０は、通信接続の要求があった場合（ステップＳＡ４：ＹＥＳ）、アクセスポイントとして機能するプリンター１に通信接続する端末装置２００の数が、上限に達しているか否かを判別する（ステップＳＡ５）。
【００７０】
印刷装置側制御部１０は、アクセスポイントとして機能するプリンター１に通信接続する端末装置２００の数が、上限に達していると判別した場合（ステップＳＡ５：ＹＥＳ）、通信接続の要求を実行した端末装置２００と通信接続を実行しない（ステップＳＡ６）。
【００７１】
一方、印刷装置側制御部１０は、アクセスポイントとして機能するプリンター１に通信接続する端末装置２００の数が、上限に達していないと判別した場合（ステップＳＡ５：ＮＯ）、通信接続の要求を実行した端末装置２００の電波強度が所定の強度を満たすか否かを判別する（ステップＳＡ７）。なお、端末装置２００の電波強度の検出の方法としては、受信した電波強度を、予め設定された複数の基準値に基づいて段階的に判定し、判定した段階を示す値を検出した電波強度とする方法が挙げられる。なお、この方法は、あくまで一例であって、端末装置２００の電波強度の検出の方法については、何れの方法を採用してもよい。
【００７２】
印刷装置側制御部１０は、通信接続の要求を実行した端末装置２００の電波強度が所定の強度を満たさないと判別した場合（ステップＳＡ７：ＮＯ）、当該端末装置２００と通信接続を実行しない（ステップＳＡ６）。一方、印刷装置側制御部１０は、通信接続の要求を実行した端末装置２００の電波強度が所定の強度を満たすと判別した場合（ステップＳＡ７：ＹＥＳ）、当該端末装置２００と通信接続を実行する（ステップＳＡ８）。通信接続の要求を実行した端末装置２００の電波強度に基づいて、当該端末装置２００との通信接続を実行することについての効果は、後に説明する。
【００７３】
次いで、印刷装置側制御部１０は、通信接続を実行してから一定の期間内に、通信接続した端末装置２００から第２接続設定情報を受信したか否かを判別する（ステップＳＡ９）。
【００７４】
印刷装置側制御部１０は、通信接続を実行してから一定の期間内に、通信接続した端末装置２００から第２接続設定情報を受信しないと判別した場合（ステップＳＡ９：ＹＥＳ）、当該端末装置２００を誤接続した端末装置２００であると判別し、通信接続を切断する（ステップＳＡ１０）。
【００７５】
例えば、端末装置２０２が端末装置２０１より先に、プリンター１と通信接続した場合、印刷装置側制御部１０は、端末装置２０２を誤接続した端末装置であると判別し、端末装置２０２との通信接続を切断する。これは、端末装置２０２が設定アプリ２１２を起動しておらず、端末装置２０２が第２接続設定情報を送信しないためである。
【００７６】
印刷装置側制御部１０は、通信接続を実行してから一定の期間内に第２接続設定情報を送信しない端末装置２００との通信接続を切断すると、無線ネットワークＮ１の第１印刷ＳＳＩＤを変更すると判定する（ステップＳＡ１１）。印刷装置側制御部１０は、第１印刷ＳＳＩＤを変更すると判定すると、プリンター１がアクセスポイントとして機能してから初めて第１印刷ＳＳＩＤを変更するか判定する（ステップＳＡ１２）。
【００７７】
印刷装置側制御部１０は、プリンター１がアクセスポイントとして機能してから初めて第１印刷ＳＳＩＤを変更すると判別すると（ステップＳＡ１２：ＹＥＳ）、第１印刷ＳＳＩＤを変更する（ステップＳＡ１４）。一方、印刷装置側制御部１０は、プリンター１がアクセスポイントとして機能してから初めての第１印刷ＳＳＩＤの変更でないと判別した場合（ステップＳＡ１２：ＮＯ）、第１印刷ＳＳＩＤを変更するタイミングが到来したか否かを判別する（ステップＳＡ１３）。
【００７８】
印刷装置側制御部１０は、ステップＳＡ１３において、前回の第１ＳＳＩＤの変更から、所定の周期が経過した場合に、第１印刷ＳＳＩＤを変更するタイミングが到来したと判別する。印刷装置側制御部１０は、第１印刷ＳＳＩＤを変更するタイミングが到来してない判別した場合（ステップＳＡ１３：ＮＯ）、処理をステップＳＡ４に戻し、当該タイミングが到来したと判別した場合（ステップＳＡ３：ＹＥＳ）、第１印刷ＳＳＩＤを変更する（ステップＳＡ１４）。
【００７９】
ここで、第１ＳＳＩＤの変更について説明する。
【００８０】
図６は、第１ＳＳＩＤの一例を示す図である。
【００８１】
本実施形態における第１ＳＳＩＤは、固定部ＫＢと、可変部ＫＨＢとにより構成される。固定部ＫＢとは、第１ＳＳＩＤを変更する際に変更の対象とならない部分である。可変部ＫＨＢは、第１ＳＳＩＤを変更する際に変更の対象となる部分である。図６に示す第１ＳＳＩＤの場合、第１ＳＳＩＤを示す「ＡＡＡＢＢＢ＿１２３」のうち、「ＡＡＡＢＢＢ」が固定部ＫＢであり、「１２３」が可変部ＫＨＢである。
【００８２】
ステップＳＡ１４において、印刷装置側制御部１０は、第１印刷ＳＳＩＤを変更する際、第１印刷ＳＳＩＤの可変部ＫＨＢを、所定のルールに従って変更する。所定のルールとは、例えば、可変部ＫＨＢが図６に示すような三桁の数字である場合、数字を１つインクリメントするルールである。このルールの場合、印刷装置側制御部１０は、第１印刷ＳＳＩＤが図６に示す第１ＳＳＩＤである場合、第１印刷ＳＳＩＤである「ＡＡＡＢＢＢ＿１２３」を、「ＡＡＡＢＢＢ＿１２４」に変更する。
【００８３】
印刷装置側制御部１０は、第１印刷ＳＳＩＤを変更すると処理をステップＳＡ３に戻し、プリンター１を、変更した第１印刷ＳＳＩＤの無線ネットワークＮ１を構築するアクセスポイントとして機能させる。
【００８４】
このように、印刷装置側制御部１０は、誤接続と判別した端末装置２００との通信接続を切断し、印刷装置側記憶部１１が記憶する第１接続設定情報１１２を変更する。より詳細には、印刷装置側制御部１０は、第１接続設定情報が含む第１印刷ＳＳＩＤを変更する。例えば、端末装置２０１より先に端末装置２０２がプリンター１と通信接続する場合、印刷装置側制御部１０は、端末装置２０２から第２接続設定情報２１４を受信しないため、端末装置２０２との通信接続を切断し、第１印刷ＳＳＩＤを変更する。
【００８５】
前述した通り、プリンター１、及び、端末装置２００の動作の説明では、端末装置２０１を、プリンター１がアクセスポイントＡＰと通信接続するための設定において、プリンター１と通信接続すべき端末装置としている。したがって、端末装置２０２は、プリンター１がアクセスポイントＡＰと通信接続するための設定では、ユーザーの意図しない端末装置に相当する。
【００８６】
つまり、上記のように、印刷装置側制御部１０は、端末装置２０２との通信接続を切断し、第１印刷ＳＳＩＤを変更するため、ユーザーの意図しない端末装置２０２がプリンター１と通信接続することを防止できる。なお、印刷装置側制御部１０は、第１接続設定情報１１２が有する第１印刷認証情報については変更しない。このことの効果については後述する。ところで、端末装置２００によっては、過去に無線ネットワークＮ１に接続することでプリンター１と通信接続したことがある場合、第１接続設定情報を記憶しているため、無線ネットワークＮ１が出現すると、自動的に無線ネットワークＮ１に接続する構成とされることがある。このような端末装置２００が、端末装置２０２である場合、端末装置２０２は、端末装置２０１より先に、自動的に無線ネットワークＮ１に接続する場合がある。つまり、ユーザーの意図しない端末装置２０２は、プリンター１に誤って通信接続する場合がある。そこで、印刷装置側制御部１０は、端末装置２０２との通信接続を切断し、第１印刷ＳＳＩＤを変更するため、誤って自動的にプリンター１に通信接続した、ユーザーの意図しない端末装置２０２が、再度、プリンター１と通信接続することを防止できる。
【００８７】
また、前述したように、印刷装置側制御部１０は、通信接続を要求する端末装置２００の電波強度が所定の強度を満たす場合に、通信接続を実行し、所定の強度を満たさない場合に、通信接続を実行しない。これにより、印刷装置側制御部１０は、より確実にユーザーの意図しない端末装置２００がプリンター１と通信接続することを防止できる。例えば、プリンター１の位置から端末装置２０１の位置より離れたところに、端末装置２０２が位置するものとする。ところで、プリンター１に対しアクセスポイントＡＰとの通信接続の設定をする際、プリンター１と通信接続すべき端末装置２０１は、プリンター１の位置から近いところに位置する蓋然性が高い。また、一般に、プリンター１が受信する端末装置２０の電波強度は、端末装置２００の位置がプリンター１から離れれば離れるほど、弱くなる。つまり、プリンター１が受信する端末装置２０２の電波強度は、端末装置２０１の電波強度より小さくなる。そこで、印刷装置側制御部１０は、通信接続を要求する端末装置２００の電波強度が所定の強度を満たす場合に、通信接続を実行し、所定の強度を満たさない場合に、通信接続を実行しない構成とすることで、ユーザーの意図しない端末装置２０２がプリンター１と通信接続することをより確実に防止できる。
【００８８】
端末装置２０１の動作の説明に戻り、端末装置２０１の端末装置側制御部２０は、通信接続の要求が実行できたと判別した場合（ステップＳＢ４：ＹＥＳ）、プリンター１に通信接続を要求してから一定の期間内に、プリンター１と通信接続したか否かを判別する（ステップＳＢ５）。
【００８９】
前述した通り、プリンター１の印刷装置側制御部１０は、アクセスポイントとして機能するプリンター１に通信接続する端末装置２００の数が、上限に達していると判別した場合、通信接続の要求を実行した端末装置２００と通信接続を実行しない。また、プリンター１の印刷装置側制御部１０は、通信接続の要求を実行した端末装置２００の電波強度が所定の強度を満たさない場合、通信接続の要求を実行した端末装置２と通信接続を実行しない。したがって、このような場合、端末装置２０１の端末装置側制御部２０は、プリンター１と通信接続してないと判別する（ステップＳＢ５：ＮＯ）。
【００９０】
端末装置２０１の端末装置側制御部２０は、ステップＳＢ５においてプリンター１と通信接続していないと判別した場合（ステップＳＢ５：ＮＯ）、端末装置側設定ファイル２１１のＳＳＩＤ設定項目に設定した第１端末ＳＳＩＤを変更すると判定する（ステップＳＢ７）。
【００９１】
次いで、端末装置側制御部２０は、第１端末ＳＳＩＤを変更すると判定すると、設定アプリ２１２を起動してから初めて第１端末ＳＳＩＤを変更するか判定する（ステップＳＢ８）。
【００９２】
端末装置側制御部２０は、設定アプリ２１２を起動してから初めての第１端末ＳＳＩＤの変更であると判別すると（ステップＳＢ８：ＹＥＳ）、第１端末ＳＳＩＤを変更する（ステップＳＢ１０）。一方、印刷装置側制御部１０は、設定アプリ２１２を起動してから初めての第１端末ＳＳＩＤの変更でないと判別した場合（ステップＳＢ８：ＮＯ）、第１端末ＳＳＩＤを変更するタイミングが到来したか否かを判別する（ステップＳＢ９）。
【００９３】
端末装置側制御部２０は、ステップＳＢ９において、前回の第１端末ＳＳＩＤの変更から、所定の周期が経過した場合に、第１端末ＳＳＩＤを変更するタイミングが到来したと判別する。端末装置側制御部２０は、第１端末ＳＳＩＤを変更するタイミングが到来してない判別した場合（ステップＳＢ９：ＮＯ）、再度、当該タイミングが到来したか否かを判別する。一方、端末装置側制御部２０は、第１端末ＳＳＩＤを変更するタイミングが到来したと判別した場合（ステップＳＢ９：ＹＥＳ）、第１端末ＳＳＩＤを変更する（ステップＳＢ１０）。
【００９４】
端末装置側制御部２０は、第１端末ＳＳＩＤの変更において、プリンター１の印刷装置側制御部１０が実行する第１印刷ＳＳＩＤの変更と同じ所定のルールに従って、第１端末ＳＳＩＤを変更する。例えば、第１印刷ＳＳＩＤが、図６に示すような固定部ＫＢと可変部ＫＨＢとにより構成されており、印刷装置側制御部１０が、可変部ＫＨＢの数字を１つインクリメントして変更する場合、端末装置側制御部２０は、同様に可変部ＫＨＢの数字を１つインクリメントして第１端末ＳＳＩＤを変更する。このことの効果については、後述する。
【００９５】
端末装置側制御部２０は、第１端末ＳＳＩＤを変更すると、変更した第１端末ＳＳＩＤを端末装置側設定ファイル２１１に設定する（ステップＳＢ１１）。そして、端末装置側制御部２０は、処理をステップＳＢ３に戻し、再度、アクセスポイントとして機能するプリンター１に通信接続を要求する。ここで、印刷装置側制御部１０が第１印刷ＳＳＩＤを変更しているため、プリンター１には端末装置２０２が接続しない状態となる。そして、端末装置２０１の電波強度が所定の強度を満たす場合であって、変更した第１端末ＳＳＩＤと当該第１印刷ＳＳＩＤとが一致する場合、プリンター１に通信接続すべき端末装置２０１は、プリンター１と通信接続できる。
【００９６】
このように、印刷装置側制御部１０は、誤接続と判別した端末装置２０１との通信接続を切断し、印刷装置側記憶部１１が記憶する第１接続設定情報１１２が含む第１印刷ＳＳＩＤを変更する。端末装置２０１の端末装置側制御部２０は、一定の期間にプリンター１と通信接続しない場合、端末装置側記憶部２１が記憶する第１接続設定情報１１２が含む第１端末ＳＳＩＤを変更し、変更した第１端末ＳＳＩＤに基づいてプリンター１との通信接続を試みる。
【００９７】
これにより、印刷装置側制御部１０は、端末装置２０２との通信接続を切断し、第１印刷ＳＳＩＤを変更するため、ユーザーの意図しない端末装置２０２がプリンター１と通信接続することを防止できる。また、端末装置２０１の端末装置側制御部２０は、プリンター１と同様に、第１端末ＳＳＩＤを変更し、変更した第１端末ＳＳＩＤに基づいてプリンター１との通信接続を試みるため、端末装置２０１は、プリンター１と確実に通信接続できる。したがって、通信システム１００は、ユーザーの意図しない端末装置２０２がプリンター１と通信接続することを防止した上、プリンター１と通信接続すべき端末装置２０１がプリンター１と確実に通信接続できる。また、端末装置２０１がプリンター１と通信接続するまでに、ユーザーによる設定操作が不要であるため、この通信接続の設定操作を簡易にできる。
【００９８】
また、前述したように、印刷装置側制御部１０は、無線ネットワークＮ１を識別する第１印刷ＳＳＩＤを変更する一方、第１印刷認証情報については変更しない。これにより、端末装置側制御部２０は、プリンター１と通信接続を実行する際に、第１端末ＳＳＩＤのみ変更すればいい。したがって、印刷装置側制御部１０は、第１印刷認証情報については変更しないことにより、プリンター１と通信接続するために、端末装置側制御部２０は、第１端末ＳＳＩＤのみ変更すればよく、端末装置２０１は、速やかに、プリンター１と通信接続できる。また、端末装置側制御部２０の処理負荷を低減できる。
【００９９】
また、前述したように、端末装置側制御部２０は、第１端末ＳＳＩＤを変更する際、印刷装置側制御部１０が第１印刷ＳＳＩＤを変更する所定のルールと同じ所定のルールで変更する。例えば、図６に示す「ＡＡＡＢＢＢ＿１２３」の第１印刷ＳＳＩＤについて、印刷装置側制御部１０が可変部ＫＨＢの数字を１つインクリメントし、「ＡＡＡＢＢＢ＿１２４」に変更した場合、端末装置側制御部２０は、同様に第１端末ＳＳＩＤの可変部ＫＨＢの数字を１つインクリメントする。仮に、端末装置側制御部２０は、可変部ＫＨＢの数字を１つデクリメントする構成であると、図６に示す「ＡＡＡＢＢＢ＿１２３」を「ＡＡＡＢＢＢ＿１２２」に変更することになる。これでは、印刷装置側制御部１０が変更した第１印刷ＳＳＩＤと一致するまで、端末装置側制御部２０は、何回も第１端末ＳＳＩＤを変更する必要がある。つまり、端末装置２０１は、速やかにアクセスポイントとして機能するプリンター１と通信接続できない。そこで、本実施形態のように、端末装置側制御部２０は、印刷装置側制御部１０が第１印刷ＳＳＩＤを変更する所定のルールと同様のルールに基づいて第１端末ＳＳＩＤを変更する。これにより、端末装置２０１、すなわち、プリンター１に通信接続すべき端末装置２０１は、速やかに、プリンター１に通信接続できる。
【０１００】
また、前述したように、印刷装置側制御部１０は、前回の第１印刷ＳＳＩＤの変更から、所定の周期が経過した場合に、第１印刷ＳＳＩＤを変更する。同様に、端末装置側制御部２０は、前回の第１端末ＳＳＩＤの変更から、所定の周期が経過した場合に、第１端末ＳＳＩＤを変更する。本実施形態では、印刷装置側制御部１０が第１印刷ＳＳＩＤを変更する周期と、端末装置側制御部２０が第１印刷ＳＳＩＤを変更する所定の周期との間には、図７に示すような関係にある。
【０１０１】
図７は、第１印刷ＳＳＩＤ、及び第１端末ＳＳＩＤを変更する周期の一例を示す図である。図７に示す端末装置２００は、設定アプリ２１２が起動した端末装置２０１、すなわち、プリンター１と通信接続すべき端末装置２０１である。
【０１０２】
図７に示す例において、プリンター１の印刷装置側制御部１０は、周期Ｔ１が経過するごとに、第１印刷ＳＳＩＤを変更する。図７の例では、印刷装置側制御部１０は、通信接続した端末装置２００から第２接続設定情報２１４を受信しない場合、時刻ｔ１において、第１印刷ＳＳＩＤを変更する。また、印刷装置側制御部１０は、時刻ｔ１から周期Ｔ１の間に、通信接続した端末装置２００から第２接続設定情報２１４を受信しない場合、時刻ｔ１から周期Ｔ１の経過後の時刻ｔ２において、第１印刷ＳＳＩＤを変更する。同様に、印刷装置側制御部１０は、時刻ｔ２から周期Ｔ１の間に、通信接続した端末装置２００から第２接続設定情報２１４を受信しない場合、時刻ｔ２から周期Ｔ１の経過後の時刻ｔ３において、第１印刷ＳＳＩＤを変更する。
【０１０３】
また、図７を示す例において、端末装置２０１の端末装置側制御部２０は、周期Ｔ２が経過するごとに、第１端末ＳＳＩＤを変更する。図７の例では、端末装置側制御部２０は、プリンター１と通信接続できない場合に、時刻ｔａにおいて第１端末ＳＳＩＤを変更し、その後、プリンター１と通信接続できなければ周期Ｔ２が経過するごとに、時刻ｔｂ、時刻ｔｃ、時刻ｔｄ、時刻ｔｅ、時刻ｔｆ、時刻ｔｇ、及び、時刻ｔｈのそれぞれにおいて、第１端末ＳＳＩＤを変更する。
【０１０４】
つまり、図７に示すように、本実施形態において、端末装置側制御部２０は、印刷装置側制御部１０が第１印刷ＳＳＩＤを変更する周期Ｔ１より早い周期Ｔ２で、第１印刷ＳＳＩＤを変更する。このように、第１印刷ＳＳＩＤを変更する周期より早い周期で、端末装置側制御部２０が第１端末ＳＳＩＤを変更することで、以下に示す効果を奏する。
【０１０５】
すなわち、プリンター１と通信接続すべき端末装置２０１は、速やかに、プリンター１に通信接続できる。詳述すると、ここで、第１端末ＳＳＩＤを変更する周期が、第１印刷ＳＳＩＤを変更する周期より遅いと、端末装置側制御部２０が第１端末ＳＳＩＤを変更しても、印刷装置側制御部１０が新たに第１印刷ＳＳＩＤを変更している可能性がある。例えば、あるタイミングで、端末装置側制御部２０が、「ＡＡＡＢＢＢ＿１２３」を示す第１端末ＳＳＩＤを、「ＡＡＡＢＢＢ＿１２４」に変更したとする。ここで、当該あるタイミングより早いタイミングで、印刷装置側制御部１０が、「ＡＡＡＢＢＢ＿１２４」を示す第１ＳＳＩＤを、「ＡＡＡＢＢＢ＿１２５」に変更すると、端末装置側制御部２０は、このあるタイミングにおいて、プリンター１と通信接続できない。このように、印刷装置側制御部１０が第１印刷ＳＳＩＤを変更する周期より遅い周期で、端末装置側制御部２０が第１端末ＳＳＩＤを変更する構成であると、端末装置側制御部２０が変更した第１端末ＳＳＩＤと印刷装置側制御部１０が変更した第１印刷ＳＳＩＤとが一致する可能性が低下する。これは、プリンター１と通信接続すべき端末装置２０１が、速やかにプリンター１に通信接続できないことにつながる。そこで、本実施形態では、図７に示すように、端末装置側制御部２０が第１端末ＳＳＩＤを変更する周期Ｔ２は、印刷装置側制御部１０が第１印刷ＳＳＩＤを変更する周期Ｔ１より早い。これにより、端末装置側制御部２０が変更した第１端末ＳＳＩＤが、印刷装置側制御部１０が変更した第１印刷ＳＳＩＤと一致する可能性が高まり、プリンター１と通信接続すべき端末装置２０１は、速やかにプリンター１と通信接続できる。
【０１０６】
なお、端末装置側制御部２０が第１端末ＳＳＩＤを変更する周期は、設定部２４により設定可能に構成される。したがって、例えば、設定部２４が、端末装置側制御部２０が第１端末ＳＳＩＤを変更する周期を、周期Ｔ２よりさらに短く設定することが可能となる。この場合、プリンター１と通信接続すべき端末装置２０１は、より速やかにプリンター１と通信接続が可能となる。このことから、端末装置側制御部２０が第１端末ＳＳＩＤを変更する周期が、設定部２４により設定可能に構成されるため、ユーザーの望む周期に変更でき、通信接続すべき端末装置２０１がプリンター１と通信接続する際のユーザーの利便性が向上する。
【０１０７】
図５に示すフローチャートの説明に戻り、端末装置２０１の端末装置側制御部２０は、プリンター１と通信接続したと判別すると（ステップＳＢ５：ＹＥＳ）、第２接続設定情報をプリンター１に送信する（ステップＳＢ６）。
【０１０８】
図４に示すフローチャートの説明に戻り、印刷装置側制御部１０は、ステップＳＡ９において、第２接続設定情報を受信したと判別すると（ステップＳＡ９：ＹＥＳ）、受信した第２接続設定情報に基づいてアクセスポイントＡＰと通信接続する（ステップＳＡ１５）。つまり、印刷装置側制御部１０は、印刷装置側通信部１４の動作モードを第２印刷通信モードに移行させ、印刷装置側設定ファイル１１１に第２ＳＳＩＤと第２認証情報とを設定し、アクセスポイントＡＰと通信接続する。
【０１０９】
以上、説明したように、プリンター１（印刷装置）は、１又は複数の端末装置２００と通信接続するための第１接続設定情報１１２を記憶する印刷装置側記憶部１１（記憶部）と、通信接続した端末装置２００から受信したアクセスポイントＡＰ（外部装置）と通信接続するための第２接続設定情報２１４に基づいて、アクセスポイントＡＰと通信接続する印刷装置側制御部１０（制御部）と、を備える。印刷装置側制御部１０は、所定の場合に、通信接続した端末装置２００を誤接続した端末装置であると判別して、端末装置２００との通信接続を切断し、印刷装置側記憶部１１が記憶する第１接続設定情報１１２を変更する。
【０１１０】
印刷装置側制御部１０は、端末装置２０２との通信接続を切断し、第１印刷ＳＳＩＤを変更するため、ユーザーの意図しない端末装置２００がプリンター１と通信接続することを防止できる。例えば、プリンター１に対しアクセスポイントＡＰへの通信接続を設定する際、端末装置２０２がユーザーの意図しない端末装置である場合、印刷装置側制御部１０は、端末装置２０２がプリンター１に通信接続することを防止できる。
【０１１１】
また、印刷装置側制御部１０は、通信接続した端末装置２００から、一定の期間に第２接続設定情報２１４を受信しない場合、通信接続した端末装置２００を誤接続した端末装置であると判別して、端末装置２００との通信接続を切断し、印刷装置側記憶部１１が記憶する第１接続設定情報１１２を変更する。
【０１１２】
前述した通り、本実施形態では、設定アプリ２１２を起動している端末装置２００がプリンター１に第２接続設定情報２１４を送信する。つまり、ユーザーの意図しない端末装置２００は、設定アプリ２１２を起動していない。したがって、印刷装置側制御部１０は、プリンター１に対しアクセスポイントＡＰへの通信接続の設定を行う際、設定アプリ２１２を起動していない端末装置２００がプリンター１と通信接続することを防止できる。例えば、プリンター１に対しアクセスポイントＡＰへの通信接続を設定する際、端末装置２０２がユーザーの意図しない端末装置である場合、印刷装置側制御部１０は、端末装置２０２がプリンター１に通信接続することを防止できる。
【０１１３】
また、第１接続設定情報１１２は、固定部ＫＢと可変部ＫＨＢとから構成される無線ネットワークＮ１の第１ＳＳＩＤ（識別情報）を含む。そして、印刷装置側制御部１０は、第１印刷ＳＳＩＤの可変部ＫＨＢを所定のルールに基づいて変更する。
【０１１４】
これにより、印刷装置側制御部１０は、第１印刷ＳＳＩＤの構成する固定部ＫＢと可変部ＫＨＢとのうち、可変部ＫＨＢを所定のルールに基づいて変更するため、容易に第１接続設定情報１１２を変更でき、且つ、ユーザーの意図しない端末装置２００との通信接続を防止できる。
【０１１５】
また、第１接続設定情報１１２は、無線ネットワークＮ１に接続するための第１認証情報(認証情報)を含む。印刷装置側制御部１０は、第１認証情報については変更しない。
【０１１６】
これにより、端末装置側制御部２０は、プリンター１と通信接続を実行する際に、第１端末ＳＳＩＤのみ変更すればいい。したがって、印刷装置側制御部１０は、第１認証情報については変更しないことにより、プリンター１と通信接続するために、端末装置側制御部２０が、第１端末ＳＳＩＤのみ変更すればよく、プリンター１と通信接続すべき端末装置２００が、速やかに、プリンター１と通信接続できる。
【０１１７】
また、印刷装置側制御部１０は、端末装置２００から受信した電波強度が所定の強度を満たす場合、端末装置２００と通信接続し、端末装置２００から受信した電波強度が所定の強度を満たさない場合、端末装置２００と通信接続しない。
【０１１８】
このように、印刷装置側制御部１０は、端末装置２００の電波強度に応じて端末装置２００との通信接続の実行するため、より確実にユーザーの意図しない端末装置２００がプリンター１と通信接続することを防止できる。
【０１１９】
また、通信システム１００は、アクセスポイントＡＰと、プリンター１と、複数の端末装置２００とを備える。プリンター１は、印刷装置側記憶部１１と、印刷装置側制御部１０と、を備える。そして、印刷装置側制御部１０は、所定の場合に、通信接続した端末装置２００を誤接続した端末装置であると判別して、端末装置２００との通信接続を切断し、印刷装置側記憶部１１が記憶する第１接続設定情報１１２を変更する。端末装置２００は、第１接続設定情報２１３と前記第２接続設定情報２１４とを記憶する端末装置側記憶部２１と、一定の期間にプリンター１と通信接続しない場合、端末装置側記憶部２１が記憶する第１接続設定情報２１３を変更し、変更した第１接続設定情報２１３に基づいてプリンター１と通信接続する端末装置側制御部２０と、を備える。
【０１２０】
ここで、端末装置２０１を、プリンター１と通信接続すべき端末装置とし、端末装置２０２を、ユーザーの意図しない端末装置であるとする。これより、通信システム１００は、印刷装置側制御部１０が、端末装置２０２との通信接続を切断し、第１印刷ＳＳＩＤを変更するため、ユーザーの意図しない端末装置２０２がプリンター１と通信接続することを防止できる。また、通信システム１００は、端末装置２０１の端末装置側制御部２０は、プリンター１と同様に、第１端末ＳＳＩＤを変更し、変更した第１端末ＳＳＩＤに基づいてプリンター１との通信接続を試みるため、端末装置２０１は、プリンター１と確実に通信接続できる。したがって、通信システム１００は、ユーザーの意図しない端末装置２０２がプリンター１と通信接続することを防止した上、プリンター１と通信接続すべき端末装置２０１がプリンター１と確実に通信接続できる。また、端末装置２０１がプリンター１と通信接続するまでに、ユーザーによる設定操作が不要であるため、この通信接続の設定操作を簡易にできる。
【０１２１】
また、端末装置側制御部２０は、印刷装置側制御部１０が第１接続設定情報１１２を変更する周期より早い周期で端末装置側記憶部２１が記憶する第１接続設定情報２１３を変更する。より詳細には、端末装置側制御部２０は、印刷装置側制御部１０が第１印刷ＳＳＩＤを変更する周期より早い周期で端末装置側記憶部２１が記憶する第１端末ＳＳＩＤを変更する。
【０１２２】
これにより、端末装置側制御部２０が変更した第１端末ＳＳＩＤが、印刷装置側制御部１０が変更した第１印刷ＳＳＩＤと一致する可能性が高まり、プリンター１と通信接続すべき端末装置２００が、速やかにプリンター１と通信接続できる。
【０１２３】
また、端末装置２００は、第１接続設定情報２１３を変更する周期を設定する設定部２４を備える。より詳細には、設定部２４は、第１端末ＳＳＩＤを変更する周期を設定する。
【０１２４】
これにより、端末装置側制御部２０が第１端末ＳＳＩＤを変更する周期が、設定部２４により設定可能に構成されるため、ユーザーの望む周期に変更でき、通信接続すべき端末装置２００がプリンター１と通信接続する際のユーザーの利便性が向上する。
【０１２５】
また、端末装置側制御部２０は、印刷装置側制御部１０と同じ所定のルールに基づいて、第１端末ＳＳＩＤの可変部ＫＨＢを変更する。
【０１２６】
このように、端末装置側制御部２０は、印刷装置側制御部１０と同じ所定のルールに基づいて、第１端末ＳＳＩＤの可変部ＫＨＢを変更するため、プリンター１に通信接続すべき端末装置２００が、速やかに、プリンター１に通信接続できる。
【０１２７】
なお、上述した実施形態は、あくまでも本発明の一態様を示すものであり、本発明の範囲内で任意に変形及び応用が可能である。
【０１２８】
例えば、上述した実施形態では、印刷装置側制御部１０が第１印刷ＳＳＩＤを変更する所定のルールとして、可変部ＫＨＢの数字を１つインクリメントする場合を例示した。しかしながら、所定のルールは、上記のルールに限定されず、例えば、可変部ＫＨＢの数字を２つインクリメントするルールでもよく、可変部ＫＨＢの数字を所定の数デクリメントする構成でもよい。
【０１２９】
また、例えば、上述したプリンター１の制御方法（印刷装置の制御方法）が、プリンター１が備えるコンピューターを用いて実現される場合、本発明を、上記制御方法を実現するためにコンピューターが実行するプログラム、このプログラムを前記コンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、フラッシュメモリー、カード型記録媒体等の可搬型の、或いは固定式の記録媒体が挙げられる。また、上記記録媒体は、プリンター１が備える内部記憶装置であるＲＡＭ（Random Access Memory）、ＲＯＭ（Read Only Memory）、ＨＤＤ等の不揮発性記憶装置であってもよい。
【０１３０】
また、例えば、図４、及び、図５の処理単位は、プリンター１、及び、端末装置２００（本実施形態では端末装置２０１）の処理を理解容易にするために、主な処理内容に応じて分割したものであり、処理単位の分割の仕方や名称によって、本発明が限定されることはない。プリンター１、及び、端末装置２００の処理は、処理内容に応じて、さらに多くの処理単位に分割してもよい。また、１つの処理単位がさらに多くの処理を含むように分割してもよい。
【０１３１】
また、図２、及び、図３に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、プリンター１、及び、端末装置２００の他の各部の具体的な細部構成についても、本発明の趣旨を逸脱しない範囲で任意に変更可能である。
【０１３２】
また、例えば、上述した実施形態において、プリンター１は、サーマルヘッドを備えるサーマルプリンターとして例示したが、これに限定されない。例えば、プリンター１は、インクジェットプリンターや、ドットインパクトプリンター等の他のプリンターでも本発明を適応できる。
【符号の説明】
【０１３３】
１…プリンター（印刷装置）、１０…印刷装置側制御部（制御部）、１１…印刷装置側記憶部（記憶部）、１２…操作部、１３…印刷部、１４…印刷装置側通信部、２０…端末装置側制御部、２１…端末装置側記憶部、２４…設定部、１００…通信システム、１１２…第１接続設定情報、２００〜２０２…端末装置、２１３…第１接続設定情報、２１４…第２接続設定情報、ＡＰ…アクセスポイント（外部装置）、ＫＢ…固定部、ＫＨＢ…可変部、Ｎ１…無線ネットワーク（ネットワーク）。
【図１】
2018122540.tif 000003
【図２】
2018122540.tif 000004
【図３】
2018122540.tif 000005
【図４】
2018122540.tif 000006
【図５】
2018122540.tif 000007
【図６】
2018122540.tif 000008
【図７】
2018122540.tif 000009